Podtech/llm-jp-corpus-v4-ja_patent huggingface dataset:
【手続補正書】
【提出日】平成21年7月23日(2009.7.23)
【手続補正１】
【補正対象書類名】特許請求の範囲
【補正対象項目名】全文
【補正方法】変更
【補正の内容】
【特許請求の範囲】
【請求項１】
表示制御手段の制御に基づいて可変表示部を可変表示する可変表示装置を備え、前記可変表示部の表示結果として予め定めた特定表示結果を導出したときに特定遊技状態が発生する弾球遊技機において、
前記表示制御手段は、
前記可変表示部の表示結果を前記特定表示結果とするか否かを前記可変表示部での導出以前に決定する特定表示結果決定手段と、
該特定表示結果決定手段の決定結果に従った表示結果を導出表示するまでの可変表示パターンを、リーチ可変表示パターンを含む複数の表示パターンの中から選択する可変表示パターン選択手段と、
該可変表示パターン選択手段によりリーチ可変表示パターンが選択されたときに、前記可変表示部が可変表示中且つリーチ状態が発生する以前に前記可変表示部にキャラクターを表示することでリーチ状態の発生を事前に報知するキャラクター事前報知手段と、
前記キャラクター事前報知手段による報知態様を複数種類の中から選択する報知態様選択手段と、
前記可変表示パターン選択手段によりリーチ可変表示パターンが選択されなかったときに、リーチ可変表示パターンが選択されたときの報知と同様の報知を行うか否かをランダムカウンタの値に基づいて決定する報知決定手段と、を備え、
前記キャラクター事前報知手段は、前記報知決定手段により報知を行うことが決定されたときには前記可変表示パターン選択手段によりリーチ可変表示パターンが選択されなかった場合でもリーチ可変表示パターンが選択されたときの報知と同様の報知を行い、
前記報知態様選択手段は、前記可変表示パターン選択手段によりリーチ可変表示パターンが選択されたときとリーチ可変表示パターンが選択されなかったときとで、各報知態様の選択率を異ならせることを特徴とする弾球遊技機。
【手続補正２】
【補正対象書類名】明細書
【補正対象項目名】０００１
【補正方法】変更
【補正の内容】
【０００１】
本発明は、表示制御手段の制御に基づいて可変表示部を可変表示する可変表示装置を備え、前記可変表示部の表示結果として予め定めた特定表示結果を導出したときに特定遊技状態が発生する弾球遊技機に関するものである。
【手続補正３】
【補正対象書類名】明細書
【補正対象項目名】０００３
【補正方法】変更
【補正の内容】
【０００３】
ところが、上記したＬＥＤ等の点灯乃至点滅動作による確率変動の報知では、ＬＥＤ等の装飾的な点灯乃至点滅動作と区別し難く、遊技者にとって確率変動の発生報知が視覚的に分かり難いという問題を有していた。また、このような報知動作は、確率変動の発生後に確認的に行われるものであるため、取り分け遊技の興趣を向上し得るものにはなっていなかった。本発明は、上記した問題点に鑑みなされたもので、その目的とするところは、可変表示部にキャラクターを表示することで確率変動等の所定態様を分かり易く然も事前に報知し、ひいては遊技の興趣向上を可能にし得る弾球遊技機を提供することにある。
【手続補正４】
【補正対象書類名】明細書
【補正対象項目名】０００４
【補正方法】変更
【補正の内容】
【０００４】
請求項１に係る発明は、表示制御手段の制御に基づいて可変表示部を可変表示する可変表示装置を備え、前記可変表示部の表示結果として予め定めた特定表示結果を導出したときに特定遊技状態が発生する弾球遊技機において、
前記表示制御手段は、
前記可変表示部の表示結果を前記特定表示結果とするか否かを前記可変表示部での導出以前に決定する特定表示結果決定手段と、
該特定表示結果決定手段の決定結果に従った表示結果を導出表示するまでの可変表示パターンを、リーチ可変表示パターンを含む複数の表示パターンの中から選択する可変表示パターン選択手段と、
該可変表示パターン選択手段によりリーチ可変表示パターンが選択されたときに、前記可変表示部が可変表示中且つリーチ状態が発生する以前に前記可変表示部にキャラクターを表示することでリーチ状態の発生を事前に報知するキャラクター事前報知手段と、
前記キャラクター事前報知手段による報知態様を複数種類の中から選択する報知態様選択手段と、
前記可変表示パターン選択手段によりリーチ可変表示パターンが選択されなかったときに、リーチ可変表示パターンが選択されたときの報知と同様の報知を行うか否かをランダムカウンタの値に基づいて決定する報知決定手段と、を備え、
前記キャラクター事前報知手段は、前記報知決定手段により報知を行うことが決定されたときには前記可変表示パターン選択手段によりリーチ可変表示パターンが選択されなかった場合でもリーチ可変表示パターンが選択されたときの報知と同様の報知を行い、
前記報知態様選択手段は、前記可変表示パターン選択手段によりリーチ可変表示パターンが選択されたときとリーチ可変表示パターンが選択されなかったときとで、各報知態様の選択率を異ならせることを特徴とする。
【手続補正５】
【補正対象書類名】明細書
【補正対象項目名】０００５
【補正方法】削除
【補正の内容】
【手続補正６】
【補正対象書類名】明細書
【補正対象項目名】０００６
【補正方法】削除
【補正の内容】
【手続補正７】
【補正対象書類名】明細書
【補正対象項目名】０００７
【補正方法】変更
【補正の内容】
【０００７】
本発明においては、表示制御手段は、可変表示部の表示結果を特定表示結果とするか否かを可変表示部での導出以前に決定する特定表示結果決定手段と、該特定表示結果決定手段の決定結果に従った表示結果を導出表示するまでの可変表示パターンを、リーチ可変表示パターンを含む複数の表示パターンの中から選択する可変表示パターン選択手段と、該可変表示パターン選択手段によりリーチ可変表示パターンが選択されたときに、可変表示部が可変表示中且つリーチ状態が発生する以前に可変表示部にキャラクターを表示することでリーチ状態の発生を事前に報知するキャラクター事前報知手段と、可変表示パターン選択手段によりリーチ可変表示パターンが選択されなかったときに、リーチ可変表示パターンが選択されたときの報知と同様の報知を行うか否かをランダムカウンタの値に基づいて決定する報知決定手段と、を備え、キャラクター事前報知手段は、報知決定手段により報知を行うことが決定されたときには可変表示パターン選択手段によりリーチ可変表示パターンが選択されなかった場合でもリーチ可変表示パターンが選択されたときの報知と同様の報知を行うので、リーチ状態の発生を分かり易く然も事前に報知することができ、ひいては遊技の興趣向上が可能になる。
【手続補正書】
【提出日】平成21年4月20日(2009.4.20)
【手続補正１】
【補正対象書類名】特許請求の範囲
【補正対象項目名】全文
【補正方法】変更
【補正の内容】
【特許請求の範囲】
【請求項１】
生物処理水槽と、前記生物処理水槽に散気管を介して空気を送り込むブロワと、前記生物処理水層内の溶存酸素濃度を測定する複数の溶存酸素計と、前記ブロワの運転を制御する制御装置とを備え、前記生物処理水槽内の溶存酸素濃度を制御する排水処理装置であって、
前記制御装置は、
前記複数の溶存酸素計の出力値相互の差分を演算する演算手段と、
前記演算手段により演算される差分と基準値とを比較して前記溶存酸素計が正常か否かを判定する判定手段と、
前記判定手段により正常と判定される溶存酸素計の出力値に基づいて前記ブロワの運転を制御するブロワ制御手段と、を有することを特徴とする排水処理装置。
【請求項２】
前記複数の溶存酸素計は第一、第二、第三の溶存酸素計を含み、
前記演算手段は、前記第一、第二、第三の溶存酸素計の出力値相互の差分を演算し、
前記判定手段は、
前記第一と第二の溶存酸素計の出力値相互の差分及び前記第一と第三の溶存酸素計の出力値相互の差分の少なくとも一方が基準値以内である場合に前記第一の溶存酸素計を正常と判定し、前記第一と第二の溶存酸素計の出力値相互の差分及び前記第一と第三の溶存酸素計の出力値相互の差分がともに基準値を超える場合に前記第一の溶存酸素計を異常と判定し、
前記第二と第一の溶存酸素計の出力値相互の差分及び前記第二と第三の溶存酸素計の出力値相互の差分の少なくとも一方が基準値以内である場合に前記第二の溶存酸素計を正常と判定し、前記第二と第一の溶存酸素計の出力値相互の差分及び前記第二と第三の溶存酸素計の出力値相互の差分がともに基準値を超える場合に前記第二の溶存酸素計を異常と判定し、
前記第三と第一の溶存酸素計の出力値相互の差分及び前記第三と第二の溶存酸素計の出力値相互の差分の少なくとも一方が基準値以内である場合に前記第三の溶存酸素計を正常と判定し、前記第三と第一の溶存酸素計の出力値相互の差分及び前記第三と第二の溶存酸素計の出力値相互の差分がともに基準値を超える場合に前記第三の溶存酸素計を異常と判定し、
前記ブロワ制御手段は、
前記第一の溶存酸素計が正常と判定される場合に当該第一の溶存酸素計の出力値に基づいて前記ブロワの運転を制御し、
前記第一の溶存酸素計が異常で前記第二及び第三の溶存酸素計が正常と判定される場合に前記第二の溶存酸素計の出力値に基づいて前記ブロワの運転を制御し、
前記第一、第二、第三の溶存酸素計がすべて異常と判定される場合に前記ブロワの運転の制御を停止することを特徴とする請求項１に記載の排水処理装置。
【請求項３】
前記排水処理装置は警報装置を備え、前記判定手段は、異常と判定する溶存酸素計が存在すれば前記警報装置を作動させることを特徴とする請求項１又は請求項２に記載の排水処理装置。
【請求項４】
生物処理水槽と、前記生物処理水槽に散気管を介して空気を送り込むブロワと、前記生物処理水層内の溶存酸素濃度を測定する複数の溶存酸素計とを備え、前記生物処理水槽内の溶存酸素濃度を制御する排水処理装置の制御方法であって、
前記複数の溶存酸素計の出力値相互の差分を演算する手順と、
前記手順で演算される差分と基準値とを比較して前記複数の溶存酸素計が正常か否かを判定する手順と、
前記手順で正常と判定される溶存酸素計の出力値に基づいてブロワの運転を制御する手順と、を含むことを特徴とする制御方法。
【手続補正書】
【提出日】平成21年6月12日(2009.6.12)
【手続補正１】
【補正対象書類名】特許請求の範囲
【補正対象項目名】全文
【補正方法】変更
【補正の内容】
【特許請求の範囲】
【請求項１】
洗車ブラシ、ねじりブラシ、洗浄ブラシ、回転ロータ、清掃用ブラシ等の各種ブラシに用いられるブラシ用毛材において、前記ブラシ用毛材は、多数の繊維を配列して積層した略一定の厚みを有する帯板状体が形成されてあると共に、前記帯板状体は前記多数の繊維が該繊維の長手方向側部において接合された溶着部が形成されてあることを特徴とするブラシ用毛材。
【請求項２】
洗車ブラシ、ねじりブラシ、洗浄ブラシ、回転ロータ、清掃用ブラシ等の各種ブラシに用いられるブラシ用毛材において、前記ブラシ用毛材は、多数の繊維を配列して積層した略一定の厚みを有する帯板状体が形成されてあり、さらに異材質からなる多数の繊維を配列して積層した略一定の厚みを有する他の帯板状体が上下方向に積層して形成されてあると共に、積層された帯板状体は溶着部により接合されてあることを特徴とするブラシ用毛材。
【請求項３】
帯板状体の略中央部に前記多数の繊維が接合された溶着部が形成されてあることを特徴とする請求項１及び２に記載のブラシ用毛材。
【請求項４】
洗車ブラシ、ねじりブラシ、洗浄ブラシ、回転ロータ、清掃用ブラシ等の各種ブラシに用いられるブラシ用毛材において、前記ブラシ用毛材は、多数の繊維を配列して積層した略一定の厚みを有する帯板状体が形成されてあり、前記帯板状体は前記多数の繊維が接合された溶着部が形成されてあり、前記帯板状体とは異材質の多数の繊維を配列して積層した略一定の厚みを有する他の帯板状体が形成されてあり、前記他の帯板状体は前記帯板状体とは異材質の多数の繊維が接合された溶着部が形成されてあり、前記帯板状体と前記他の帯板状体が積層されてあることを特徴とするブラシ用毛材。
【手続補正２】
【補正対象書類名】明細書
【補正対象項目名】０００６
【補正方法】変更
【補正の内容】
【０００６】
請求項１の発明は、洗車ブラシ、ねじりブラシ、洗浄ブラシ、回転ロータ、清掃用ブラシ等の各種ブラシに用いられるブラシ用毛材において、前記ブラシ用毛材は、多数の繊維を配列して積層した略一定の厚みを有する帯板状体が形成されてあると共に、前記帯板状体は前記多数の繊維が該繊維の長手方向側部において接合された溶着部が形成されてあることに特徴を有する。上記構成では、溶着部が形成されてあることによって、多数の繊維が一体となるので、帯板状体を維持することができ、一つのユニットとして量産することが可能となる。
【手続補正書】
【提出日】平成21年6月15日(2009.6.15)
【手続補正１】
【補正対象書類名】特許請求の範囲
【補正対象項目名】全文
【補正方法】変更
【補正の内容】
【特許請求の範囲】
【請求項１】
種々の演算処理を行うＣＰＵと、
該ＣＰＵにより外部との信号の入出力制御が行われるＩ／Ｏと、
前記ＣＰＵおよび前記Ｉ／Ｏに共通のリセット信号を出力する共通パワーオンリセット回路と、
を備える遊技機用制御基板であって、
該遊技機用制御基板には、
前記ＣＰＵおよび前記Ｉ／Ｏに共通のシステムクロック信号を出力する共通発振回路
を備え、
前記ＣＰＵには、
前記共通のリセット信号および前記共通のシステムクロックに基づいて、当該共通のシステムクロック信号が予め定めたＮクロック数以上連続して当該共通のリセット信号が入力された際に、当該ＣＰＵに起動をかけるＣＰＵ側起動回路
を備え、
前記Ｉ／Ｏには、
前記共通のリセット信号および前記共通のシステムクロックに基づいて、当該共通のシステムクロック信号が予め定めたＭクロック数以上連続して当該共通のリセット信号が入力された際に、当該Ｉ／Ｏに起動をかけるＩ／Ｏ側起動回路
を備え、
前記予め定めたＭクロック数は、前記予め定めたＮクロック数より大きいことを特徴とする遊技機用制御基板。
【請求項２】
請求項１に記載の遊技機用制御基板であって、
前記ＣＰＵには、
前記予め定めたＮクロック数を、予め定めた複数のクロック数のうちいずれかを択一的に設定する外部端子
を備えることを特徴とする遊技機用制御基板。
【手続補正２】
【補正対象書類名】明細書
【補正対象項目名】０００９
【補正方法】変更
【補正の内容】
【０００９】
（解決手段１）
種々の演算処理を行うＣＰＵと、該ＣＰＵにより外部との信号の入出力制御が行われるＩ／Ｏと、前記ＣＰＵおよび前記Ｉ／Ｏに共通のリセット信号を出力する共通パワーオンリセット回路と、を備える遊技機用制御基板であって、該遊技機用制御基板には、前記ＣＰＵおよび前記Ｉ／Ｏに共通のシステムクロック信号を出力する共通発振回路を備え、前記ＣＰＵには、前記共通のリセット信号および前記共通のシステムクロックに基づいて、当該共通のシステムクロック信号が予め定めたＮクロック数以上連続して当該共通のリセット信号が入力された際に、当該ＣＰＵに起動をかけるＣＰＵ側起動回路を備え、前記Ｉ／Ｏには、前記共通のリセット信号および前記共通のシステムクロックに基づいて、当該共通のシステムクロック信号が予め定めたＭクロック数以上連続して当該共通のリセット信号が入力された際に、当該Ｉ／Ｏに起動をかけるＩ／Ｏ側起動回路を備え、前記予め定めたＭクロック数は、前記予め定めたＮクロック数より大きいことを特徴とする遊技機用制御基板。
【手続補正３】
【補正対象書類名】明細書
【補正対象項目名】００１１
【補正方法】変更
【補正の内容】
【００１１】
遊技機用制御基板には共通発振回路を備えており、この共通発振回路はＣＰＵおよびＩ／Ｏに共通のシステムクロック信号を出力する。ＣＰＵにはＣＰＵ側起動回路を備えており、このＣＰＵ側起動回路は共通のリセット信号および共通のシステムクロックに基づいて、その共通のシステムクロック信号が予め定めたＮクロック数以上連続してその共通のリセット信号が入力された際に、ＣＰＵに起動をかける。つまり、ＣＰＵにリセットがかかり起動がかかることとなる。Ｉ／ＯにはＩ／Ｏ側起動回路を備えており、このＩ／Ｏ側起動回路は共通のリセット信号および共通のシステムクロックに基づいて、その共通のシステムクロック信号が、予め定めたＮクロック数より大きい、予め定めたＭクロック数以上連続してその共通のリセット信号が入力された際に、Ｉ／Ｏに起動をかける。つまり、Ｉ／Ｏにリセットがかかり起動がかかることとなる。
【手続補正４】
【補正対象書類名】明細書
【補正対象項目名】００１８
【補正方法】変更
【補正の内容】
【００１８】
本発明の請求項１においては、ノイズの影響による遊技者への不利益を防止することができる。本発明の請求項２においては、ノイズの影響に強く、そのノイズの影響を気にすることなくＮクロック数を択一的に設定することができる。
【手続補正書】
【提出日】平成21年6月12日(2009.6.12)
【手続補正１】
【補正対象書類名】特許請求の範囲
【補正対象項目名】全文
【補正方法】変更
【補正の内容】
【特許請求の範囲】
【請求項１】
洗車ブラシ、ねじりブラシ、洗浄ブラシ、回転ロータ、清掃用ブラシ等の各種ブラシに用いられるブラシ用毛材において、前記ブラシ用毛材は、多数の繊維を配列して積層した略一定の厚みを有する帯板状体が形成されてあると共に、前記帯板状体の上面に積層して前記多数の繊維を接合するシート状接着層が形成されてあることを特徴とするブラシ用毛材。
【請求項２】
洗車ブラシ、ねじりブラシ、洗浄ブラシ、回転ロータ、清掃用ブラシ等の各種ブラシに用いられるブラシ用毛材において、前記ブラシ用毛材は、多数の繊維を配列して積層した略一定の厚みを有する帯板状体が形成されてあり、さらに異材質からなる多数の繊維を配列して積層した略一定の厚みを有する他の帯板状体が上下方向に積層して形成されてあると共に、前記帯板状体と前記他の帯板状体の間に積層して前記多数の繊維及び前記帯板状体とは異材質の多数の繊維に接合されたシート状接着層が形成されてあることを特徴とするブラシ用毛材。
【請求項３】
前記シート状接着層は、少なくとも片面に接着層を有するテープにて形成されてあることを特徴とする請求項１又は２に記載のブラシ用毛材。
【請求項４】
前記シート状接着層は、ホットメルトにて形成されてあることを特徴とする請求項１又は２に記載のブラシ用毛材。
【手続補正２】
【補正対象書類名】明細書
【補正対象項目名】０００６
【補正方法】変更
【補正の内容】
【０００６】
請求項１の発明は、洗車ブラシ、ねじりブラシ、洗浄ブラシ、回転ロータ、清掃用ブラシ等の各種ブラシに用いられるブラシ用毛材において、前記ブラシ用毛材は、多数の繊維を配列して積層した略一定の厚みを有する帯板状体が形成されてあると共に、前記帯板状体の上面に積層して前記多数の繊維を接合するシート状接着層が形成されてあることに特徴を有する。上記構成では、シート状接着層が形成されてあることによって、多数の繊維が一体となるので、帯板状体を維持することができ、一つのユニットとして量産することが可能となる。
【手続補正３】
【補正対象書類名】明細書
【補正対象項目名】００１０
【補正方法】変更
【補正の内容】
【００１０】
請求項１の発明では、各種ブラシに用いられるブラシ用毛材において、前記ブラシ用毛材は、多数の繊維を配列して積層した略一定の厚みを有する帯板状体が形成されてあると共に、前記帯板状体の上面に積層して前記多数の繊維を接合するシート状接着層が形成されてあることによって、帯板状体がバラバラにならず、毛抜けを防止できる。また、毛倒れを防ぐことができると共に、帯板状体を一つのユニットとして量産することができるので、容易に各種ブラシに適用することができ、コストの低減を図ることができる。
【手続補正書】
【提出日】平成21年6月12日(2009.6.12)
【手続補正１】
【補正対象書類名】特許請求の範囲
【補正対象項目名】全文
【補正方法】変更
【補正の内容】
【特許請求の範囲】
【請求項１】
洗車ブラシ、ねじりブラシ、洗浄ブラシ、回転ロータ、清掃用ブラシ等の各種ブラシに用いられるブラシ用毛材において、前記ブラシ用毛材は、長尺の繊維束を蛇行状に折曲させて仮止め糸により帯状に連ねた帯板状体を有し、該帯板状体の上面には前記長尺の繊維束間を固着する溶着部が形成されてあることを特徴とするブラシ用毛材。
【請求項２】
帯板状体の略中央部に前記繊維束間を固着する溶着部が形成されてあることを特徴とする請求項１に記載のブラシ用毛材。
【手続補正２】
【補正対象書類名】明細書
【補正対象項目名】０００６
【補正方法】変更
【補正の内容】
【０００６】
請求項１の発明は、洗車ブラシ、ねじりブラシ、洗浄ブラシ、回転ロータ、清掃用ブラシ等の各種ブラシに用いられるブラシ用毛材において、前記ブラシ用毛材は、長尺の繊維束を蛇行状に折曲させて仮止め糸により帯状に連ねた帯板状体を有し、該帯板状体の上面には前記長尺の繊維束間を固着する溶着部が形成されてあることに特徴を有する。上記構成では、溶着部が形成されていることによって、多数の繊維が一体となるので、毛抜けを防止することができる。
【手続補正３】
【補正対象書類名】明細書
【補正対象項目名】０００８
【補正方法】変更
【補正の内容】
【０００８】
請求項１及び２の発明では、各種ブラシに用いられるブラシ用毛材において、長尺の繊維束を蛇行状に折曲させて仮止め糸により帯状に連ねた帯板状体を有し、該帯板状体の上面には前記長尺の繊維束間を固着する溶着部が形成されてある構成としたので、毛倒れを少なくすることができると共に、毛抜けを防止でき、従来技術と比較しても、製造コストを低減することができる。
【手続補正書】
【提出日】平成21年10月8日(2009.10.8)
【手続補正１】
【補正対象書類名】特許請求の範囲
【補正対象項目名】全文
【補正方法】変更
【補正の内容】
【特許請求の範囲】
【請求項１】
端末であって、
携帯電話エアインタフェースを介して携帯電話通信ネットワークと通信するように構成された第１の送受信機と、
ＩＥＥＥ８０２．１１ｘに準拠したエアインタフェースを介して前記端末に連結された複数の無線送受信ユニット（ＷＴＲＵ）と通信するように構成された第２の送受信機と、
前記携帯電話通信ネットワークを用いて確立された通信セッションを前記ＩＥＥＥ８０２．１１ｘに準拠したエアインタフェースを介して前記複数のＷＴＲＵと共有するように構成されたプロセッサと
を備えることを特徴とする端末。
【請求項２】
前記第１の送受信機は、第３世代（３Ｇ）携帯電話ネットワークとの３Ｇコネクションを確立するようにさらに構成され、該３Ｇコネクションは、無活動タイマのタイムアウトで解放されることを特徴とする請求項１に記載の端末。
【請求項３】
前記プロセッサは、前記複数のＷＴＲＵに対して、および前記複数のＷＴＲＵから、データをルーティングするようにさらに構成されたことを特徴とする請求項１に記載の端末。
【請求項４】
前記第１の送受信機は、前記携帯電話通信ネットワークとの永続的コネクションを確立して常に電源を入れたサービスを可能にするようにさらに構成されていることを特徴とする請求項１に記載の端末。
【請求項５】
前記サービスは、ＩＥＥＥ８０２．１１ｘサービスプロバイダーと３Ｇ携帯電話サービスプロバイダーとの間の高速ハンドオーバーを提供することを特徴とする請求項４に記載の装置。
【請求項６】
レイヤ３インターネットプロトコル（ＩＰ）スイッチングを実施するように構成されたＩＰアプリケーションプロセッサをさらに備えることを特徴とする請求項４に記載の装置。
【請求項７】
前記ＩＰアプリケーションプロセッサは、さらに複数の独立のアクセスデバイスまたはＩＰアプリケーションにアクセスするようにさらに構成されることを特徴とする請求項６に記載の端末。
【請求項８】
端末において使用される方法であって、
携帯電話通信ネットワークとのコネクションを開始するステップと、
ＩＥＥＥ８０２．１１ｘに準拠したエアインタフェースを介して前記端末に連結された複数の無線送受信ユニット（ＷＴＲＵ）との複数のコネクションを開始するステップと、
前記携帯電話通信ネットワークにおいて割り当てられた帯域幅をＩＥＥＥ８０２．１１ｘに準拠したエアインタフェースを介して前記端末に連結された前記複数のＷＴＲＵに提供するステップと
を備えることを特徴とする方法。
【請求項９】
第３世代（３Ｇ）携帯電話ネットワークへの３Ｇコネクションが確立され、該３Ｇコネクションは無活動タイマのタイムアウトで解放されることを特徴とする請求項８に記載の方法。
【請求項１０】
前記複数のＷＴＲＵに対して、および前記複数のＷＴＲＵから、データがルーティングされることを特徴とする請求項８に記載の方法。
【請求項１１】
複数の独立のアクセスデバイスまたはＩＰアプリケーションがアクセスされることを特徴とする請求項８に記載の方法。
【請求項１２】
前記携帯電話通信ネットワークとの永続的コネクションが確立されて常に電源を入れたサービスが可能であることを特徴とする請求項８に記載の方法。
【請求項１３】
前記サービスは、ＩＥＥＥ８０２．１１ｘサービスプロバイダーと３Ｇ携帯電話サービスプロバイダーとの間の高速ハンドオーバーを提供することを特徴とする請求項１２に記載の方法。
【手続補正書】
【提出日】平成21年7月30日(2009.7.30)
【手続補正１】
【補正対象書類名】特許請求の範囲
【補正対象項目名】全文
【補正方法】変更
【補正の内容】
【特許請求の範囲】
【請求項１】
所定の作業を実行する稼働装置を構成する装置ユニットの温度を調整する温度調整装置であって、
前記温度調整装置において温度調整用媒体として用いられる気体の温度を、前記稼働装置の雰囲気の温度と略同等の温度に調節する気体温度調節部を備えることを特徴とする温度調整装置。
【請求項２】
前記稼働装置は雰囲気の温度が規定された環境に設置されて使用され、
前記気体温度調節部は、前記温度調整用媒体として用いられる気体の温度を、前記稼働装置の雰囲気の規定温度として設定された温度と略同等の温度に調節することを特徴とする請求項１に記載の温度調整装置。
【請求項３】
前記稼働装置の前記装置ユニットの近傍に気体循環路を有し、前記気体循環路を流動する気体は前記稼働装置の雰囲気と隔絶されていることを特徴とする請求項１又は２に記載の温度調整装置。
【手続補正２】
【補正対象書類名】明細書
【補正対象項目名】発明の名称
【補正方法】変更
【補正の内容】
【発明の名称】温度調整装置
【手続補正書】
【提出日】平成21年8月5日(2009.8.5)
【手続補正１】
【補正対象書類名】特許請求の範囲
【補正対象項目名】請求項１
【補正方法】変更
【補正の内容】
【請求項１】
糯米を蒸しその糯米を突いてできた、お餅又は、のし餅をピザの生地にし、お餅又は、のし餅にピザの具を盛り合わせたことを特徴とする餅ピザ。
【手続補正２】
【補正対象書類名】明細書
【補正対象項目名】０００１
【補正方法】変更
【補正の内容】
【０００１】本発明は、日本国内において小麦に比べて収穫量も多く、栄養学的にも優れたバランス食品である糯米の特性を活かし、糯米を蒸しその糯米を突いてできた、お餅又は、のし餅をピザの生地にし、お餅又は、のし餅にピザの具を盛り合わせたことを特徴とする餅ピザに関するものである。
【手続補正３】
【補正対象書類名】明細書
【補正対象項目名】０００５
【補正方法】変更
【補正の内容】
【０００５】本発明は糯米を蒸しその糯米を突いてできた、お餅又は、のし餅をピザの生地にし、お餅又は、のし餅にピザの具を盛り合わせたことを特徴とする餅ピザである。
【手続補正書】
【提出日】平成21年7月31日(2009.7.31)
【手続補正１】
【補正対象書類名】特許請求の範囲
【補正対象項目名】全文
【補正方法】変更
【補正の内容】
【特許請求の範囲】
【請求項１】
動物の生体に植え込み、無線通信によって当該動物に関する情報管理を行う生体植込み用ＲＦＩＤタグであって、
樹脂性の可撓性素材からなるフィルム上にインピーダンスマッチング用のスリットを有するアンテナが配置されると共にＩＣチップが搭載されたインレットと、
樹脂性の可撓性素材からなり、前記インレットを自己の外周に貼付する棒材と、
樹脂性の生体親和性素材からなり、前記棒材の外周に貼付された前記インレットを覆うようにコーティングされた外皮カバーと
によって構成され、
前記アンテナの長軸方向を前記棒材の軸と平行に、前記アンテナの短軸方向の両端部が重ならないようにして、当該アンテナを前記棒材に貼付する
ことを特徴とする生体植込み用ＲＦＩＤタグ。
【請求項２】
前記動物は体長が１０ｃｍ程度以下の小型動物であって、前記体長の１０％以下となる長さ、及び前記体長の１．５％以下となる直径または幅を有することを特徴とする請求項１に記載の生体植込み用ＲＦＩＤタグ。
【請求項３】
長さが７ｍｍ以下であり、前記直径または前記幅が１ｍｍ以下であることを特徴とする請求項１に記載の生体植込み用ＲＦＩＤタグ。
【請求項４】
前記棒材は、前記ＩＣチップが突出しないように当該ＩＣチップを収納する凹部を形成していることを特徴とする請求項１に記載の生体植込み用ＲＦＩＤタグ。
【請求項５】
前記棒材は、前記ＩＣチップが突出しないように、自己の長手方向全体に亘って当該ＩＣチップの厚さ分だけ切削されていることを特徴とする請求項１に記載の生体植込み用ＲＦＩＤタグ。
【請求項６】
前記棒材は中心部が空洞になっていることを特徴とする請求項１に記載の生体植込み用ＲＦＩＤタグ。
【請求項７】
前記インレットと前記棒材と前記外皮カバーは熱融着されていることを特徴とする請求項１乃至請求項６のいずれか１項に記載の生体植込み用ＲＦＩＤタグ。
【請求項８】
樹脂性の可撓性素材からなるフィルム上にインピーダンスマッチング用のスリットを有するアンテナが配置されると共にＩＣチップが搭載され、円筒状に形成されたインレットと、
樹脂性の生体親和性素材からなり、円筒状に形成された前記インレットを覆うようにコーティングされた外皮カバーと
によって構成され、
前記アンテナの長軸方向が前記円筒の軸と平行になるようにし、前記アンテナの短軸方向の両端部が重ならないようにして、当該アンテナを前記円筒状にする
ことを特徴とする生体植込み用ＲＦＩＤタグ。
【請求項９】
前記インレットと前記外皮カバーは熱融着されていることを特徴とする請求項８に記載の生体植込み用ＲＦＩＤタグ。
【請求項１０】
前記外皮カバーは、前記インレットが変形したときに前記アンテナの両端部分が短絡しないような変形状態となるように、外周上における１箇所以上の位置に所定の深さの溝を形成していることを特徴とする請求項８または請求項９に記載の生体植込み用ＲＦＩＤタグ。
【請求項１１】
前記ＩＣチップは、データの書き換えが不可能なＲＯＭ型チップで構成されていることを特徴とする請求項１乃至請求項１０のいずれか１項に記載の生体植込み用ＲＦＩＤタグ。
【手続補正２】
【補正対象書類名】明細書
【補正対象項目名】発明の名称
【補正方法】変更
【補正の内容】
【発明の名称】生体植込み用ＲＦＩＤタグ
【手続補正３】
【補正対象書類名】明細書
【補正対象項目名】０００１
【補正方法】変更
【補正の内容】
【０００１】
本発明は、ＩＣチップに記録された情報を無線で送信するＲＦＩＤ(Radio Frequency I
dentification)タグなどに関し、特に、動物の生体に植え込んで情報管理等に利用される生体植込み用ＲＦＩＤタグに関する。
【手続補正４】
【補正対象書類名】明細書
【補正対象項目名】０００６
【補正方法】変更
【補正の内容】
【０００６】
本発明は、以上のような問題点に鑑みてなされたものであり、マウスのような小型動物の皮下に植え込んでもそれらの小型動物にストレスを与えることがないと共に、所定の通信距離を確保することができるような生体植込み用ＲＦＩＤタグを提供すること目的とする。
【手続補正５】
【補正対象書類名】明細書
【補正対象項目名】０００７
【補正方法】変更
【補正の内容】
【０００７】
前記の目的を達成するために、本発明の生体植込み用ＲＦＩＤタグは、動物の生体に植え込み、無線通信によってその動物に関する情報管理を行う生体植込み用ＲＦＩＤタグであって、樹脂性の可撓性素材からなるフィルム上にインピーダンスマッチング用のスリットを有するアンテナが配置されると共にＩＣチップが搭載されたインレットと、樹脂性の可撓性素材からなり、インレットを自己の外周に貼付する棒材と、樹脂性の生体親和性素材からなり、棒材の外周に貼付されたインレットを覆うようにコーティングされた外皮カバーとによって構成され、アンテナの長軸方向を棒材の軸と平行に、アンテナの短軸方向の両端部が重ならないようにして、アンテナを棒材に貼付することを特徴とする。これにより、可撓性及び生体親和性を持たせ、マウスなどの小型動物に植え込んでも、ストレスを与えず、また、充分な通信性能を有するようにした。
【手続補正６】
【補正対象書類名】明細書
【補正対象項目名】０００８
【補正方法】削除
【補正の内容】
【手続補正７】
【補正対象書類名】明細書
【補正対象項目名】０００９
【補正方法】変更
【補正の内容】
【０００９】
本発明によれば、マウスなどのような小型動物に植え込んでも、ストレスを与えず、また、充分な通信性能を有する生体植込み用ＲＦＩＤタグを提供できる。
【手続補正書】
【提出日】平成21年7月30日(2009.7.30)
【手続補正１】
【補正対象書類名】特許請求の範囲
【補正対象項目名】全文
【補正方法】変更
【補正の内容】
【特許請求の範囲】
【請求項１】
前方に（以下、車いすの進行方向に向かって前側を「前方」、後ろ側を「後方」という。）座面より下にあり前後方向に対して横に横断している前部フレームと、後方に前記座面より下にあり前後方向に対して横に横断している後部フレームと、後方において前記座面より後ろに出ていて前記座面の両側に並行に前記座面より下にある２つの側部フレームとを有し、これら前部フレーム、後部フレーム及び側部フレームにより前記座面に剛性をもたせた、車いす本体とは別体のフレーム付座面と、
前方に前記前部フレームを乗せる前部クロスメンバー受け金と、前記フレーム付座面が前方に移動することを防止するストッパーと、後方に前記側部フレームを乗せる後部クロスメンバー受け金とを有する車体クロスメンバーと、
バックレストフレームよりも後方において前記側部フレームの後端を組み込む後部座面保持部を有する車体フレームとを備え、
乗員が着座することによって、車いす全体の剛性を確保することを特徴とする折りたたみ式車いす。
【手続補正２】
【補正対象書類名】明細書
【補正対象項目名】０００４
【補正方法】変更
【補正の内容】
【０００４】
本発明は、折りたたみ式の車いすの車体とは別体にしたフレーム付座面の座面左右両側後部に側部フレームを突き出し、車体フレームに設けた後部座席保持部に挿入固定する。一方、座面前部は座面フレーム前部下側に横断した前部フレームを車体クロスメンバーに乗せ、着座することで座面に掛かる体重が車体フレームと車体クロスメンバーを固定し、剛性を高めることを主要な特徴とする。
【手続補正３】
【補正対象書類名】明細書
【補正対象項目名】０００７
【補正方法】変更
【補正の内容】
【０００７】
図１は、従来の折りたたみ式車いすの上面図である。図２は、従来の折りたたみ式車いすの座面部の乗員の体重による荷重配分説明図である。座面シート１は、車体クロスメンバー５に張ってある。乗員の体重は車体クロスメンバー５に掛かり、車体クロスメンバー５は乗員の体重を車体フレーム４の後部クロスメンバー受け金３と、前部クロスメンバー受け金２に分散して受け、体重によって車体クロスメンバー５と車体フレーム４は一体になっている。車体フレーム４への後部クロスメンバー受け金３と前部クロスメンバー受け金２の荷重配分は、図２に示すように、後部クロスメンバー受け金３が約６／７、前部クロスメンバー受け金２が約１／７と前部の荷重が少なく、前部クロスメンバー受け金２の固定力が弱いため、車体は剛性不足になり、駆動時に歪みやすく駆動力のロスとなる。
【手続補正４】
【補正対象書類名】明細書
【補正対象項目名】０００８
【補正方法】変更
【補正の内容】
【０００８】
図３は、本発明の実施例の図で、折りたたみ式車いすの上面図である、図４は、本発明の実施例の座面部拡大図である。図５は本発明の座面部の乗員の体重による荷重配分説明図である。図３、図４及び図５においてフレーム付座面１１は車体フレーム１４とは別体で、取り外しできる。フレーム付座面１１の側部フレーム１２の後端は座面２２より後方に突き出しており、車体フレーム１４の後端に設けた後部座面保持部１５に前方から挿入する。後部座面保持部１５は、バックレストフレーム２０より後ろ側の車体フレーム１４に設けてある。一方、前部フレーム１３は座面２２の下側前方に露出し、車体クロスメンバー１６の前部車体クロスメンバー受け金１８に乗せる。後部フレーム２１は座面２２の下側後方に露出している。ストッパー１７はフレーム付座面１１が前方に移動しないためのストッパーである。車体クロスメンバー１６は、前部車体クロスメンバー受け金１８と、後部車体クロスメンバー受け金１９に、フレーム付座面１１によって乗員の体重を受けて固定される。車体フレーム１４の後部座面保持部１５と前部クロスメンバー受け金１８の荷重配分は、側部フレーム１２の後端と、後部座面保持部１５とは挿入により固定されているため、後部座面保持部１５に約２／３、後部車体クロスメンバー受け金１９への荷重はほとんど掛からず、前部車体クロスメンバー受け金１８に、体重の約１／３が掛かることになり、車体クロスメンバー１６は車体フレーム１４に強く押し付けられ、車体全体の剛性を高める。
【手続補正５】
【補正対象書類名】明細書
【補正対象項目名】０００９
【補正方法】変更
【補正の内容】
【０００９】
本発明は、フレーム付座面１１の後部で車体フレーム１４と一体化し、前部を乗員の体重で車体フレーム１４と車体クロスメンバー１６を上側から押さえることで固定され、車いす全体の剛性が上がり、車体の歪みが少なくなるため、駆動力の殆どを推進力にすることができ、長時間の乗車でも疲れにくくなる。
【手続補正６】
【補正対象書類名】明細書
【補正対象項目名】００１２
【補正方法】変更
【補正の内容】
【００１２】
１  座面シート
２  前部クロスメンバー受け金
３  後部クロスメンバー受け金
４  車体フレーム
５  車体クロスメンバー
１１  フレーム付座面
１２  側部フレーム
１３  前部フレーム
１４  車体フレーム
１５  後部座面保持部
１６  車体クロスメンバー
１７  ストッパー
１８  前部クロスメンバー受け金
１９  後部クロスメンバー受け金
２０  バックレストフレーム
２１  後部フレーム
２２  座面

【手続補正７】
【補正対象書類名】図面
【補正対象項目名】図３
【補正方法】変更
【補正の内容】
【図３】
2008043381.tif 000001
【手続補正８】
【補正対象書類名】図面
【補正対象項目名】図４
【補正方法】変更
【補正の内容】
【図４】
2008043381.tif 000002
【手続補正書】
【提出日】平成21年1月15日(2009.1.15)
【手続補正１】
【補正対象書類名】明細書
【補正対象項目名】００２１
【補正方法】変更
【補正の内容】
【００２１】
案内軸２４の内側端部には、カムフォロア２６が設けられている。このカムフォロア２６は、支持片２８とは反対側の端部（図２における下側端部）にカムローラ３６を有しており、カムローラ３６は、円形カム３２に接触するように配置されている。上述のように、カムフォロア２６は、円錐カム３２の中心に向けて常に付勢されているので、カムローラ３６は、常に円錐カム３２に当接（係合）している。このように、カムフォロア２６は、常に円錐カム３２に当接するように付勢されており、円錐カム３２が上下動することによって、案内軸２４が放射状に往復動し、案内軸２４にカムフォロア２６を介して取り付けられているセグメント状に形成されたピザ生地の支持片２８が、外側に向かって放射状に拡縮する。
【手続補正書】
【提出日】平成21年6月23日(2009.6.23)
【手続補正１】
【補正対象書類名】特許請求の範囲
【補正対象項目名】全文
【補正方法】変更
【補正の内容】
【特許請求の範囲】
【請求項１】
サンプル中のオルニチンカルバモイルトランスフェラーゼ（ＯＣＴ）濃度を測定し、得られたＯＣＴ濃度又は当該ＯＣＴ濃度と他の肝臓特異的細胞障害マーカー濃度との比を指標にクッパー細胞の活性化状態を判定する方法。
【請求項２】
ＯＣＴとアラニンアミノトランスフェラーゼ（ＡＬＴ）との比を指標とする請求項１記載の方法。
【請求項３】
ＯＣＴとグルタミン酸デヒドロゲナーゼ（ＧＤＨ）との比を指標とする請求項１記載の方法。
【請求項４】
サンプル中のＯＣＴ濃度が健常者サンプル中のＯＣＴ濃度より低い場合、クッパー細胞が活性化状態にあると判定する請求項１記載の方法。
【請求項５】
サンプル中のＯＣＴ濃度と他の肝臓特異的細胞障害マーカーから得られた比が、健常者サンプル中の対応する比より低い場合、クッパー細胞が活性化状態にあると判定する請求項１記載の方法。
【請求項６】
サンプル中のＯＣＴ濃度と他の肝臓特異的細胞障害マーカーから得られた比が、健常者サンプル中の対応する比より高い場合、クッパー細胞が不活性化状態にあると判定する請求項１記載の方法。
【手続補正２】
【補正対象書類名】明細書
【補正対象項目名】００１１
【補正方法】変更
【補正の内容】
【００１１】〔１〕サンプル中のオルニチンカルバモイルトランスフェラーゼ（ＯＣＴ）濃度を測定し、得られたＯＣＴ濃度又は当該ＯＣＴ濃度と他の肝臓特異的細胞障害マーカー濃度との比を指標にクッパー細胞の活性化状態を判定する方法。〔２〕ＯＣＴとアラニンアミノトランスフェラーゼ（ＡＬＴ）との比を指標とする上記〔１〕記載の方法。〔３〕ＯＣＴとグルタミン酸デヒドロゲナーゼ（ＧＤＨ）との比を指標とする上記〔１〕記載の方法。〔４〕サンプル中のＯＣＴ濃度が健常者サンプル中のＯＣＴ濃度より低い場合、クッパー細胞が活性化状態にあると判定する上記〔１〕記載の方法。〔５〕サンプル中のＯＣＴ濃度と他の肝臓特異的細胞障害マーカーから得られた比が、健常者サンプル中の対応する比より低い場合、クッパー細胞が活性化状態にあると判定する上記〔１〕記載の方法。〔６〕サンプル中のＯＣＴ濃度と他の肝臓特異的細胞障害マーカーから得られた比が、健常者サンプル中の対応する比より高い場合、クッパー細胞が不活性化状態にあると判定する上記〔１〕記載の方法。
【手続補正書】
【提出日】平成21年6月19日(2009.6.19)
【手続補正１】
【補正対象書類名】明細書
【補正対象項目名】００２３
【補正方法】変更
【補正の内容】
【００２３】
フレーム部４１は、オフセットフレーム２１とフレーム部４１との間に繋がれた連結機構３０の伸縮シリンダ３１の伸縮によって回動支点Ｏを回動中心として回動可能である。連結機構３０は、連結部２３と、連結部２３及びフレーム部４１間に繋がれた回動リンク機構３２と、回動リンク機構３２及び作業部４０間に繋がれて回動リンク機構３２を伸縮させる伸縮シリンダ３１とを有する。回動リンク機構３２は、伸縮シリンダ３１が全縮状態になるとフレーム部４１を左右方向右側に平行に延ばし、伸縮シリンダ３１が全伸長状態になるとフレーム部４１を左右方向左側に平行に延ばすように構成されている。
【手続補正書】
【提出日】平成21年6月19日(2009.6.19)
【手続補正１】
【補正対象書類名】特許請求の範囲
【補正対象項目名】全文
【補正方法】変更
【補正の内容】
【特許請求の範囲】
【請求項１】
着色麦芽を組織ごとに分画し、分画した画分を任意の割合で使用することを特徴とする麦芽使用飲料の製造方法。
【請求項２】
着色麦芽の組織ごとの画分が、胚乳画分、内皮層画分、穀皮画分および幼芽画分、またはこれらの未分離の画分であって、分画した組織別の画分を単独または複数種配合し、麦芽使用飲料の原料とすることを特徴とする請求項１に記載の麦芽使用飲料の製造方法。
【請求項３】
麦芽使用飲料の色合いの調整をコントロールする請求項１または２に記載の麦芽使用飲料の製造方法。
【請求項４】
麦芽使用飲料の香味をコントロールする請求項１〜３のいずれかに記載の麦芽使用飲料の製造方法。
【請求項５】
麦芽使用飲料の香味が、エグ味、焦げ味、スス焦げ臭であり、その低減または強化をコントロールするものである請求項４に記載の麦芽使用飲料の製造方法。
【請求項６】
請求項１ないし５に記載のいずれかの方法により製造された麦芽使用飲料。
【請求項７】
麦芽使用飲料がビールテイスト様飲料である請求項６に記載の麦芽使用飲料。
【請求項８】
麦芽使用飲料がビール、発泡酒、リキュール、低アルコール飲料またはノンアルコール飲料である請求項６に記載の麦芽使用飲料。
【請求項９】
麦芽使用飲料が黒ビールである請求項６に記載の麦芽使用飲料。
【請求項１０】
ＥＢＣ（European Brewery Convention）に定めるコングレス麦汁色度が１０〜２０００ＥＢＣの範囲になる着色麦芽の組織画分を使用した請求項６〜９のいずれかに記載の麦芽使用飲料。
【請求項１１】
着色麦芽が濃色麦芽、黒麦芽、メラノイジン麦芽、カラメル麦芽、ブリュー麦芽、燻製麦芽またはチョコレート麦芽である請求項１０に記載の麦芽使用飲料。
【請求項１２】
麦芽使用飲料の製造方法において、原料としての着色麦芽を胚乳画分、内皮層画分、穀皮画分および幼芽画分に分画し、麦芽使用飲料の色合い、香味を設計するにあたり、分画した組織別の画分を単独または複数種選定して組み合わせ配合させることを特徴とする麦芽使用飲料の原料の選定方法。
【請求項１３】
麦芽使用飲料の香味が、エグ味、焦げ味、スス焦げ臭である請求項１２に記載の選定方法。
【手続補正２】
【補正対象書類名】明細書
【補正対象項目名】０００４
【補正方法】変更
【補正の内容】
【０００４】
一般的に、麦芽発酵飲料について、より魅力的な色合いを付与する麦芽を、着色麦芽と称している。この着色麦芽には、濃色麦芽、黒麦芽、メラノイジン麦芽、カラメル麦芽、ブリュー麦芽、燻製麦芽、チョコレート麦芽と称される麦芽などが知られており、麦芽使用飲料の種類によって、使用する全麦芽のうちの一部、または全麦芽に、これらの着色麦芽が用いられている。
【手続補正３】
【補正対象書類名】明細書
【補正対象項目名】００１５
【補正方法】変更
【補正の内容】
【００１５】
また、本発明は別の態様として、
（６）上記（１）ないし（５）に記載のいずれかの方法により製造された麦芽使用飲料；
（７）麦芽使用飲料がビールテイスト様飲料である上記（６）に記載の麦芽使用飲料；
（８）麦芽使用飲料がビール、発泡酒、リキュール、低アルコール飲料またはノンアルコール飲料である上記（６）に記載の麦芽使用飲料；
（９）麦芽使用飲料が黒ビールである上記（６）に記載の麦芽使用飲料；
（１０）ＥＢＣ（European Brewery Convention）に定めるコングレス麦汁色度が１０〜２０００ＥＢＣの範囲になる着色麦芽の組織画分を使用した上記（６）〜（９）に記載の麦芽使用飲料；
（１１）着色麦芽が濃色麦芽、黒麦芽、メラノイジン麦芽、カラメル麦芽、ブリュー麦芽、燻製麦芽またはチョコレート麦芽である上記（１０）に記載の麦芽使用飲料；
である。
【手続補正４】
【補正対象書類名】明細書
【補正対象項目名】００１９
【補正方法】変更
【補正の内容】
【００１９】
本発明が提供する麦芽使用飲料とは、麦芽を原料の全部または一部として使用して製造したアルコール飲料又はノンアルコール飲料をいい、具体的には、ビール、発泡酒、リキュール、低アルコール麦芽醗酵飲料、アルコールを除去する操作を加えたノンアルコール発酵飲料等をあげることができる。
【手続補正５】
【補正対象書類名】明細書
【補正対象項目名】００２３
【補正方法】変更
【補正の内容】
【００２３】
このような着色麦芽としては、例えば、濃色麦芽、黒麦芽、メラノイジン麦芽、カラメル麦芽、ブリュー麦芽、燻製麦芽、チョコレート麦芽と呼ばれているのが含まれる。このコングレス麦汁色度は、焙燥温度／時間を調整することにより所望の範囲内の着色麦芽とすることが可能となる。
【手続補正６】
【補正対象書類名】明細書
【補正対象項目名】００６７
【補正方法】変更
【補正の内容】
【００６７】
なお、他の着色麦芽である濃色麦芽、カラメル麦芽、ブリュー麦芽、燻製麦芽、チョコレート麦芽についても、同様の組織別分画を行い、それらを適宜組み合わせて、淡色麦芽（全粒）と配合することにより、目的とする色合い、香味を有するビールを調製することができた。
【手続補正書】
【提出日】平成21年6月23日(2009.6.23)
【手続補正１】
【補正対象書類名】特許請求の範囲
【補正対象項目名】全文
【補正方法】変更
【補正の内容】
【特許請求の範囲】
【請求項１】
直流電圧源と、
前記直流電圧源と直列に接続された補助電圧源と、
電力を消費する負荷と、
前記負荷に一端が接続され、前記負荷へ供給する電力を平滑化するインダクタンス素子と、
前記インダクタンス素子の他端と前記補助電圧源の一端に接続され、前記直流電圧源と前記補助電圧源の電圧の合計電圧を断続的に印加するようにオンオフを繰り返す第１スイッチング素子と、
前記インダクタンス素子の他端と前記補助電圧源の他端に接続され、前記直流電圧源の電圧を断続的に印加するように前記第１スイッチング素子と交互にオンオフを繰り返す第２スイッチング素子と、
前記第１スイッチング素子と前記第２スイッチング素子のオンオフ比を変化させて、前記負荷に供給する電力を制御する制御回路と、
前記第２スイッチング素子の前記直流電圧源への接続を、前記直流電圧源の正端子、または負端子のいずれかに切り替える切替器を有し、
前記直流電圧源は断続的に通常電圧状態と電圧低下状態を繰り返す動作を行い、前記通常電圧状態では、前記直流電圧源は前記負荷に直接電力を供給し、同時に前記制御回路は前記切替器を前記負端子に切り替えて、前記インダクタンス素子と前記第１スイッチング素子と前記第２スイッチング素子により前記直流電圧源の電力を前記補助電圧源に充電するとともに、
前記電圧低下状態では、前記制御回路は前記切替器を前記正端子に切り替えて前記負荷に電力を供給する電源装置。
【請求項２】
直流電圧源と、
前記直流電圧源と直列に接続された補助電圧源と、
電力を消費する負荷と、
前記負荷に一端が接続され、前記負荷へ供給する電力を平滑化するインダクタンス素子と、
前記インダクタンス素子の他端と前記補助電圧源の一端に接続され、前記直流電圧源と前記補助電圧源の電圧の合計電圧を断続的に印加するようにオンオフを繰り返す第１スイッチング素子と、
前記インダクタンス素子の他端と前記補助電圧源の他端に接続され、前記直流電圧源の電圧を断続的に印加するように前記第１スイッチング素子と交互にオンオフを繰り返す整流素子によって構成される第２スイッチング素子と、
前記第１スイッチング素子のオンオフ比を変化させて、前記負荷に供給する電力を制御する制御回路と、
前記第２スイッチング素子に直列に接続され、前記負荷へ電力を供給する時にオンになるスイッチと、
前記第１スイッチング素子と前記直流電圧源の負端子の間に接続され、前記第１スイッチング素子と交互にオンオフを繰り返す第３スイッチング素子とを有し、
前記直流電圧源は断続的に通常電圧状態と電圧低下状態を繰り返す動作を行い、
前記通常電圧状態では、前記直流電圧源は前記負荷に直接電力を供給し、同時に前記制御回路は前記スイッチをオフにして、前記第１スイッチング素子と前記第３スイッチング素子を交互にオンオフすることで、前記直流電圧源の電力を前記補助電圧源に充電するとともに、
前記電圧低下状態では、前記制御回路は前記スイッチをオンにして、前記第３スイッチング素子を常時オフにした状態で前記第１スイッチング素子をオンオフすることで前記負荷に電力を供給する電源装置。
【手続補正２】
【補正対象書類名】明細書
【補正対象項目名】００１５
【補正方法】変更
【補正の内容】
【００１５】
前記従来の課題を解決するために、本発明の電源装置は、直流電圧源と、前記直流電圧源と直列に接続された補助電圧源と、電力を消費する負荷と、前記負荷に一端が接続され、前記負荷へ供給する電力を平滑化するインダクタンス素子と、前記インダクタンス素子の他端と前記補助電圧源の一端に接続され、前記直流電圧源と前記補助電圧源の電圧の合計電圧を断続的に印加するようにオンオフを繰り返す第１スイッチング素子と、前記インダクタンス素子の他端と前記補助電圧源の他端に接続され、前記直流電圧源の電圧を断続的に印加するように前記第１スイッチング素子と交互にオンオフを繰り返す第２スイッチング素子と、前記第１スイッチング素子と前記第２スイッチング素子のオンオフ比を変化させて、前記負荷に供給する電力を制御する制御回路と、前記第２スイッチング素子の前記直流電圧源への接続を、前記直流電圧源の正端子、または負端子のいずれかに切り替える切替器を有し、前記直流電圧源は断続的に通常電圧状態と電圧低下状態を繰り返す動作を行い、前記通常電圧状態では、前記直流電圧源は前記負荷に直接電力を供給し、同時に前記制御回路は前記切替器を前記負端子に切り替えて、前記インダクタンス素子と前記第１スイッチング素子と前記第２スイッチング素子により前記直流電圧源の電力を前記補助電圧源に充電するとともに、前記電圧低下状態では、前記制御回路は前記切替器を前記正端子に切り替えて前記負荷に電力を供給するものである。これにより、第２スイッチング素子がオンの時に、第１スイッチング素子と第２スイッチング素子の接続点電圧Ｖ１が０ではなくＶＢとなるので、その分、時比率Ｄを小さくすることができ、補助電圧源の蓄電素子の必要数を減らすことが可能となる。その結果、前記目的を達成することができる。
また、本発明の電源装置は、直流電圧源と、前記直流電圧源と直列に接続された補助電圧源と、電力を消費する負荷と、前記負荷に一端が接続され、前記負荷へ供給する電力を平滑化するインダクタンス素子と、前記インダクタンス素子の他端と前記補助電圧源の一端に接続され、前記直流電圧源と前記補助電圧源の電圧の合計電圧を断続的に印加するようにオンオフを繰り返す第１スイッチング素子と、前記インダクタンス素子の他端と前記補助電圧源の他端に接続され、前記直流電圧源の電圧を断続的に印加するように前記第１スイッチング素子と交互にオンオフを繰り返す整流素子によって構成される第２スイッチング素子と、前記第１スイッチング素子のオンオフ比を変化させて、前記負荷に供給する電力を制御する制御回路と、前記第２スイッチング素子に直列に接続され、前記負荷へ電力を供給する時にオンになるスイッチと、前記第１スイッチング素子と前記直流電圧源の負端子の間に接続され、前記第１スイッチング素子と交互にオンオフを繰り返す第３スイッチング素子とを有し、前記直流電圧源は断続的に通常電圧状態と電圧低下状態を繰り返す動作を行い、前記通常電圧状態では、前記直流電圧源は前記負荷に直接電力を供給し、同時に前記制御回路は前記スイッチをオフにして、前記第１スイッチング素子と前記第３スイッチング素子を交互にオンオフすることで、前記直流電圧源の電力を前記補助電圧源に充電するとともに、前記電圧低下状態では、前記制御回路は前記スイッチをオンにして、前記第３スイッチング素子を常時オフにした状態で前記第１スイッチング素子をオンオフすることで前記負荷に電力を供給するものである。